(57)【要約】【課題】圧縮されたストリームデータをデコードした後の処理において、ストリームデータの劣化に起因する悪影響を正確に除去することを可能にする。【解決手段】デコード部３２は、圧縮されたデータであるオーディオストリームＡ３をデコードしてオーディオデータＡ４ａを得る。エラーチェック３４部は、デコードの過程においてエラーチェックを行う。品質判定部３６は、エラーチェック部３４のチェック結果に基づいてオーディオデータＡ４ａの品質を判定する。制御部３８は、品質判定部３６により判定された品質に応じてノイズ軽減処理部４０を制御し、ノイズ軽減処理部４０は、制御部３８の制御にしたがって、オーディオデータＡ４ａの再生時のノイズを軽減する処理を行う。【選択図】図２
2008035118.tif 000002
【特許請求の範囲】
【請求項１】
圧縮データであるストリームデータをデコードして復号データを生成し、デコードする際にエラーチェックを行うデコード部と、
前記エラーチェックの結果に基づいて前記復号データの品質を判定する品質判定部と、を備えることを特徴とする情報処理装置。
【請求項２】
前記デコード部により得られた前記復号データの再生時のノイズを軽減する処理を行うノイズ軽減処理部と、
前記品質判定部により判定された前記品質に応じて前記ノイズ軽減処理部を制御する制御部とをさらに備えることを特徴とする請求項１に記載の情報処理装置。
【請求項３】
前記品質判定部は、前記エラーチェックの結果を所定の期間において統計処理をし、統計処理の結果に基づいて前記品質を判定することを特徴とする請求項１または２に記載の情報処理装置。
【請求項４】
前記復号データは、複数のフレームから構成され、
前記品質判定部は、注目フレームの直前の複数のフレームのエラー検出率に基づいて該注目フレームの品質を判定することを特徴とする請求項３に記載の情報処理装置。
【請求項５】
前記復号データと外部の他のデータとの同期を取る同期処理部と、
該同期処理部を制御する同期処理制御部とをさらに備え、
該同期処理制御部は、前記品質判定部により判定された前記品質が所定レベル以下であるときに同期処理を中止させることを特徴とする請求項１から４のいずれか１項に記載の情報処理装置。
【請求項６】
前記同期処理制御部は、同期処理が中止されている間、前記品質判定部により判定された前記品質が所定の程度までに回復したときに、同期処理を再開させることを特徴とする請求項５に記載の情報処理装置。
【請求項７】
圧縮データであるストリームデータをデコードして復号データを生成し、
デコードする際にエラーチェックを行い、
前記エラーチェックの結果に基づいて前記復号データの品質を判定することを特徴とする情報処理方法。
【請求項８】
判定された前記品質に応じて、前記復号データの再生時のノイズを軽減するノイズ軽減処理を制御することを特徴とする請求項７に記載の情報処理方法。
【発明の詳細な説明】
【技術分野】
【０００１】
本発明は情報処理装置、具体的には、デジタル放送信号などを受信した際に、信号の品質を判定する技術に関する。
【背景技術】
【０００２】
デジタル音声放送において、欧州規格（Ｅｕｒｅｋａ  １  ４７）に準拠したＤＡＢ（Ｄｉｇｉｔａｌ  Ａｕｄｉｏ  Ｂｒｏａｄｃａｓｔｉｎｇ）システムが実用化されている。
【０００３】
ＤＡＢシステムにおいて、オーディオデータは、ＭＰＥＧオーディオなどの圧縮方式にしたがって圧縮され、さらにＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）で変調されて放送信号（以下ＤＡＢ信号という）となる。
【０００４】
ＤＡＢ受信装置は、ＯＦＤＭ方式で変調されたＤＡＢ信号を復調し、圧縮されたデータである復調信号の復号（以下デコードという）を行い、オーディオデータを再生する。
【０００５】
ＯＦＤＭは、マルチキャリア変調方式の一種であり、移動体通信においてマルチパスやフェージングに対して安定した受信が可能であるとされている。それでも実際にはさまざまな原因によってデータが伝送経路で劣化し、受信したデータはある程度の符号誤りを持つことになる。このような符号誤りを含むデータが再生されると、劣化部分がノイズなり、聞き手に不快感を与える。
【０００６】
特許文献１には、このような不快感を軽減する技術が開示されている。この技術は、デジタル音声放送受信装置において、受信したＤＡＢ信号を復調する際に、データの劣化程度を示す指標としてＢＥＲ（Ｂｉｔ  Ｅｒｒｏｒ  Ｒａｔｅ：ビット・エラー・レート）の値を検出する。そして、検出されたＢＥＲの値に応じて、デコードの出力を停止したり、デコードにより得られたオーディオデータの再生時の出力レベルすなわち音量を変化させるなどの処理を施す。
【０００７】
特許文献２に開示された技術は、受信したＤＡＢ信号に対してビタビ復号する際に、符号誤り率を検出する。そして、後にデコードにより得られたオーディオデータの再生時に、検出された符号誤り率に応じて、ローパスフィルタの使用の有無や、または再生を停止するなどの制御を行い、劣化部分が聞き手に与える違和感を軽減する。
【特許文献１】特開２００２−３０００６１号公報
【特許文献２】特開２００３−１１０４３９号公報
【発明の開示】
【発明が解決しようとする課題】
【０００８】
上述したように、受信したＤＡＢ信号の劣化状態を検出する１つの目的は、デコードした後のオーディオデータを再生する際に、劣化部分の劣化状態に応じた相応な処理を施し、劣化に起因する音質の低下を軽減することにある。しかしながら、上述した２つの技術は、ＤＡＢ信号を復調するとき、デコード前の信号を用いて劣化状態の検出を行っているので、デコード後のオーディオデータのどの部分が劣化し、どの部分に対して音質劣化に対する処理を施すべきかを、正確に把握することが困難である。そのため、音質劣化を確実に軽減することができないという問題がある。
【０００９】
この問題は、ＤＡＢ放送の受信装置のみならず、ＤＶＢ（Ｄｉｇｉｔａｌ  Ｖｉｄｅｏ  Ｂｒｏａｄｃａｓｔｉｎｇ）、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）など、オーディオストリームが含まれるパケットの受信システムにおいても存在する。
【課題を解決するための手段】
【００１０】
本発明の一つの態様は情報処理装置である。この情報処理装置は、圧縮データであるストリームデータをデコードして復号データを生成し、デコードする際にエラーチェックを行うデコード部と、このエラーチェックの結果に基づいて復号データの品質を判定する品質判定部とを備える。
【００１１】
なお、上記装置を、方法、システム、プログラムに置き換えたものも、本発明の態様としては有効である。
【発明の効果】
【００１２】
本発明にかかる情報処理装置によれば、圧縮されたストリームデータをデコードした後の処理において、ストリームデータの劣化に起因する音質劣化を確実に軽減することを可能にする。
【発明を実施するための最良の形態】
【００１３】
以下、本発明を適用した具体的な実施の形態について、図面を参照しながら詳細に説明する。まず、第１の実施の形態について説明する。
【００１４】
この第１の実施の形態は、本発明をＤＶＢ放送受信機に適用し、圧縮されたオーディオストリームをデコード時においてエラーチェックを行って、オーディオデータの品質を判定する。そして、判定した品質に応じたノイズ軽減処理をオーディオデータに施す。それによって、伝送経路でのデータの劣化に起因した、聞き手に与える不快感を軽減する。
【００１５】
図１は、本実施の形態にかかるＤＶＢ放送受信機（以下単に受信機ともいう）１００の構成を示す。なお、ＤＶＢの放送信号はビデオ信号とオーディオ信号の両方が含まれるが、オーディオ信号の処理に重点をおいて説明するために、図１においてオーディオ信号と関係する部分のみを示し、ビデオ信号を処理する構成についてはその図示および説明を省略する。
【００１６】
図１に示すように、受信機１００は、アンテナ２０、チューナ２２、ＡＤ変換器２４、復調部２５、デマルチプレクサ２６、オーディオ信号処理部５０、ＤＡ変換器８０、アンプ８２、スピーカ８４を備える。チューナ２２は、アンテナ２０を介してＤＶＢの放送波信号を得る。ＡＤ変換器２４は、チューナ２２により得られた放送波信号をＡＤ変換してデジタル信号Ａ１を得、復調部２５は、デジタル信号Ａ１に対して、サブキャリア復調や、エラー訂正などを含む復調処理を行ってＴＳパケット（以下復調信号Ａ２という）を得る。デマルチプレクサ２６は、復調信号Ａ２をオーディオ信号Ａ３、ビデオ信号、他のパケットに分解する。オーディオ信号Ａ３は、ＭＰＥＧオーディオ圧縮方式またはＡＡＣ（Ａｄｖａｎｃｅｄ  Ａｕｄｉｏ  Ｃｏｄｉｎｇ）などのオーディオ圧縮方式で圧縮された信号であり、以下オーディオストリームＡ３という。
【００１７】
オーディオ信号処理部５０の詳細については後述するが、それにより、オーディオストリームＡ３からオーディオデータＡ４が得られる。ＤＡ変換器８０は、オーディオデータＡ４をアナログ音声信号Ａ５に変換する。アンプ８２は、アナログ音声信号Ａ５を増幅し、スピーカ８４は、増幅されたアナログ音声信号Ａ５を再生する。
【００１８】
図２は、図１に示す受信機１００におけるオーディオ信号処理部５０の構成を示す。オーディオ信号処理部５０は、デコード部３２、品質判定部３６、制御部３８、ノイズ軽減処理部４０を備え、デコード部３２には、エラーチェック部３４が設けられている。なお、オーディオ信号処理部５０の様々な処理を行う機能ブロックとして図中に記載された各要素は、ハードウェア的には、ＣＰＵ、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１９】
デコード部３２は、デマルチプレクサ２６から送信されてきたオーディオストリームＡ３を復号してオーディオデータＡ４ａを得て、ノイズ軽減処理部４０に出力する。
【００２０】
デコード部３２に設けられたエラーチェック部３４は、デコード部３２によるデコードの過程中において、エラーチェックをして品質判定部３６に出力する。ここで、エラーチェック部３４は、オーディオデータＡ４ａの劣化に関係するエラーをチェックする。たとえば、オーディオストリームＡ３中のヘッダ部分のシンタックス・エラーチェック、ＣＲＣチェック、ハフマン符号化などの各エンコード方式に対応するデコードを行う際の閾値チェック、正しいデコードフローから逸脱する可能性の有無のチェックなどのうちの１つまたは複数の組合せを行う。通常、オーディオストリームＡ３は、複数のフレームから構成され、エラーチェック部３４は、フレームごとにそれのチェックの結果を得て、品質判定部３６に出力する。
【００２１】
品質判定部３６は、エラーチェック部３４から出力されてきたエラーチェックの結果に基づいて、注目フレームの品質を判定する。ここで、単純に、注目フレームに対するエラーチェックの結果のみを用いてこのフレームの品質を判定してもよいが、本実施の形態における品質判定部３６は、より正確に判定するために、注目フレームおよび時系列において注目フレームの直前の複数（例えば１０枚）のフレームのエラーチェックの結果を集計して注目フレームの品質を判定する。なお、この場合、品質判定部３６には、注目フレームの前のフレームのエラーチェックの結果を記憶するメモリ（図示せず）が設けられている。
【００２２】
制御部３８は、品質判定部３６の判定結果に基づいてノイズ軽減処理部４０の制御を行い、ノイズ軽減処理部４０は、制御部３８の制御にしたがって、デコード部３２により得られたオーディオデータＡ４ａのノイズ軽減処理を行う。このノイズ軽減処理は、オーディオデータＡ４ａが後に再生される際に、劣化に起因するノイズにより聞き手に与える不快感を軽減するものである。
【００２３】
図３は、ノイズ軽減処理部４０の構成を示す。本実施の形態において、ノイズ軽減処理部４０は、例として、フェードイン・アウト処理部４４、バンドパスフィルタ（以下ＢＰＦともいう）４６を備え、これらは、制御部３８によりフレームごとに制御される。
【００２４】
図４は、品質判定部３６、制御部３８、ノイズ軽減処理部４０の処理の流れを示すフローチャートである。品質判定部３６は、オーディオデータＡ４ａの品質を判定する判定処理を行い（Ｓ１００）、制御部３８は、品質判定部３６の判定結果に基づいてノイズ軽減処理部４０に対して制御処理を行う（Ｓ２００）。ノイズ軽減処理部４０は、制御部３８の制御にしたがって、オーディオデータＡ４ａのノイズ軽減処理を行う（Ｓ３００）。以下、これらの処理の詳細について説明する。
【００２５】
図５は、品質判定部３６による判定処理を示すフローチャートである。本実施の形態において、ノイズ軽減処理部４０は、フェードイン・アウト処理部４４とＢＰＦ４６の２つの装置を用いてノイズ軽減処理を行うので、品質判定部３６は、それぞれの装置を制御するための判定を行う。こうすることによって、フェードイン・アウト処理部４４とＢＰＦ４６のそれぞれの特性を生かし、精細な制御が可能となる。
【００２６】
ステップＳ１０２〜Ｓ１１４は、フェードイン・アウト処理部４４の制御のための判定処理であり、ステップＳ１２０〜Ｓ１２４は、ＢＰＦ４６の制御のための判定処理であり、以下、それぞれを第１の判定処理と第２の判定処理という。
【００２７】
第１の判定処理において、品質判定部３６は、まず、エラーチェック部３４が、注目フレームからエラーが検出されたか否かを確認する（Ｓ１０２）。エラーが検出されたならば、該フレームの品質を「劣化程度：大」を示す品質Ｈ１に判定し（Ｓ１０２：Ｙｅｓ、Ｓ１０４）、エラーが検出されていなければ、さらに直前の１０枚のフレームのエラーチェック結果から算出され、図示しないメモリに保存されたエラー検出率（エラーが検出されたフレームの数／１０）を確認する（Ｓ１０２：Ｎｏ、Ｓ１１０）。品質判定部３６は、エラー検出率が５０％より大きければ、注目フレームからエラーが検出されていないのにもかかわらず、その品質を「劣化程度：中」を示す品質Ｈ２に判定する（Ｓ１１０：Ｙｅｓ、Ｓ１１２）一方、エラー検出率が５０％以下であれば、注目フレームの品質を「劣化程度：小またはなし」を示す品質Ｈ３に判定する（Ｓ１１０：Ｎｏ、Ｓ１１４）。
【００２８】
第２の判定処理は、エラー検出率に基づいて行われる。品質判定部３６は、エラー検出率が２５％より大きければ、注目フレームの品質を「劣化あり」を示す品質Ｂ１に判定する（Ｓ１２０：Ｙｅｓ、Ｓ１２２）一方、エラー検出率が２５％以下であれば、注目フレームの品質を「劣化なし」を示す品質Ｂ２に判定する（Ｓ１２０：Ｎｏ、Ｓ１２４）。
【００２９】
品質判定部３６は、これらの２つの判定結果を制御部３８に出力するとともに、注目フレームとその直前の９枚のフレームのエラーチェックの結果を用いて新しいエラー検出率を算出し、メモリに保存されたエラー検出率を更新する（Ｓ１３０）。
【００３０】
ここで、ステップＳ１０２〜Ｓ１１４の第１の判定処理と、ステップＳ１２０〜Ｓ１２４の第２の判定処理は、並列に行うようになっているが、前後に行うようにしてもよい。
【００３１】
図６は、制御部３８による制御処理を示すフローチャートである。制御部３８は、まず、品質がＨ１（注目フレームにエラーが検出されている）、Ｈ２（注目フレームにエラーが検出されていないが、直前の１０枚のフレームから算出されたエラー検出率が５０％より大きい）、Ｈ３（注目フレームにエラーが検出されていなく、かつエラー検出率が５０％以下）のうちのいずれかであるかに応じて、フェードイン・アウト処理部４４を制御する（Ｓ２１０〜Ｓ２３６）。具体的には、品質がＨ１である場合（Ｓ２１０：Ｙｅｓ）には、フェードイン・アウト処理部４４がフェードアウト中またはフェードアウト完了後であれば、フェードアウトを継続させると共にフードインをさせないようにすべく、図示しないフェードインカウンタをクリアする（Ｓ２２０：Ｙｅｓ、Ｓ２２４）が、フェードイン・アウト処理部４４がフェードアウト中とフェードアウト完了後のいずれでもなければ、直ちにフェードアウトを開始することを示すフラグをＯＮさせるとともにフェードインカウンタをクリアする（Ｓ２２０：Ｎｏ、Ｓ２２２、Ｓ２２４）。ここで、フェードアウト開始のフラグは、たとえば図示しないメモリにロードされたメインプログラムにあり、制御部３８は、そのフラグをＯＮ、ＯＦＦさせることによってフェードイン・アウト処理部４４を制御することができる。
【００３２】
一方、ステップＳ２１０で注目フレームからエラーが検出されていない場合において、制御部３８は、フェードイン・アウト処理部４４がフェードアウト中またはフェードアウト完了後であり、かつ品質がＨ２であれば、再出音のタイミングを遅れさせるべく、フェードインカウンタに、再出音を遅延させる値（遅延用初期値）を設定する（Ｓ２３０：Ｙｅｓ、Ｓ２３２：Ｙｅｓ、Ｓ２３４）。また、フェードイン・アウト処理部４４がフェードアウト中またはフェードアウト完了後であり、かつ品質がＨ３であれば、制御部３８は、再出音をさせるために、フェードインカウンタに、遅延用初期値より小さい通常の初期値（通常用初期値）を設定する（Ｓ２３０：Ｙｅｓ、Ｓ２３２：Ｎｏ、ｓ２３６）。他の場合（Ｓ２１０：Ｎｏ、Ｓ２３０：Ｎｏ）においてはフェードイン・アウト処理部４４の処理を変える制御をしない。
【００３３】
次に制御部３８は、品質がＢ１（エラー検出率が２５％より大きい）、Ｂ２（エラー検出率が２５％以下）のいずれかであるかに応じて、ＢＰＦ４６を制御する（Ｓ２５０〜Ｓ２５４）。具体的には、品質がＢ１である場合には、ＢＰＦ４６をＯＮさせる（Ｓ２５０：Ｙｅｓ、Ｓ２５２）一方、品質がＢ２である場合、ＢＰＦ４６をＯＦＦさせる（Ｓ２５０：Ｎｏ、Ｓ２５４）。
【００３４】
なお、図６のフローチャートには、フェードイン・アウト処理部４４の制御処理と、ＢＰＦ４６の制御処理が前後に行われるようになっているが、並列に行われるようにしてもよい。
【００３５】
ノイズ軽減処理部４０は、制御部３８の制御にしたがってオーディオデータＡ４ａを処理するものであり、その処理はたとえば音声出力割込みハンドラ内で実行される。図７は、その処理の流れを示すフローチャートである。なお、ＢＰＦ４６は、制御部３８の制御にしたがってＯＮ（フィルタリングする）またはＯＦＦ（フィルタリングしない）するのみなので、分かりやすくするために、フェードイン・アウト処理部４４の処理についてのみ図示および説明する。
【００３６】
フェードイン・アウト処理部４４は、フェードアウト開始フラグがＯＮになっていると（Ｓ３０２：Ｙｅｓ）、直にフェードアウトを開始するとともに、フェードアウトの開始にともなって、フェードアウト開始フラグをＯＦＦさせる（Ｓ３１０）。
【００３７】
一方、フェードイン・アウト処理部４４は、フェードアウト開始フラグがＯＦＦになっていると（Ｓ３０２：Ｎｏ）、フェードインカウンタの値が０であるか否かを確認し、０であればフェードインの処理をせずに現状維持する（Ｓ３３０：Ｙｅｓ）。一方、フェードインカウンタの値が０ではない場合（Ｓ３３０：Ｎｏ）において、フェードインカウンタを１デクリメントし、そして、フェードインカウンタが０になれば、フェードインを開始する（Ｓ３３２〜Ｓ３３６）。すなわち、フェードインカウンタの初期値が遅延用初期値に設定された場合は、通常用初期値に設定された場合より、フェードイン開始までの時間が長い。
【００３８】
ノイズ軽減処理部４０によりノイズ軽減処理が施されて得たオーディオデータＡ４は、ＤＡ変換器８０、アンプ８２によりＤＡ変換と増幅処理が行われ、スピーカ８４により再生される。
【００３９】
このように本実施の形態の受信機１００は、圧縮されたストリームデータであるオーディオストリームＡ３に対してデコードする際において行ったエラーチェックの結果を用いて、オーディオストリームデータＡ４ａの品質を判定しているので、オーディオデータのどの部分（ここではフレーム）が劣化しているかを把握できる。そのため、劣化した部分に対してその音質劣化を軽減するための処理が確実にできる。
【００４０】
また、背景技術にある２つの技術は、たとえば音声の出力レベルを変化させることによりノイズを軽減させる手法を実現するために、搬送波復調時やデマルチプレクス時に得られた劣化程度の指標をノイズの軽減処理時に用いるので、オーディオ信号処理部の前段の復調部やデマルチプレクサ、オーディオ信号処理部の後段のアンプ等が接続されることを必要とする。そのため、前段にデマルチプレクサが接続されていないシステムにおいては、ノイズの軽減処理ができなくなってしまう。
【００４１】
それに対して、本実施の形態による受信機１００は、ＤＶＢ信号を復調時のエラーチェックの結果に依存せずに、デコード時におけるエラーチェックの結果に基づいてオーディオデータの品質を判定しているので、オーディオ信号処理部５０内において、ノイズを軽減するための処理が可能である。そのため、アンプとデマルチプレクサが接続されていなくても、ノイズの軽減が可能である。さらに、アンプオーディオ信号処理部５０の後段のアンプは、汎用なものであっても、ノイズを軽減する効果を図ることができる。
【００４２】
さらに、本実施の形態の受信機１００において、オーディオ信号処理部５０の品質判定部３６は、注目フレームのエラーチェックの結果のみならず、注目フレームの直前の複数のフレームのエラーチェックの統計処理の結果も、品質の判定に用いるので、より正確な判定ができ、ひいては、より良いノイズ軽減効果を図ることができる。たとえば、注目フレームからエラーが検出されなかったとしても、直前の複数のフレームのエラーチェックの結果に対して統計処理することによって、エラーの発生をある程度予測でき、リアルタイム性のあるノイズ軽減処理が可能となる。
【００４３】
また、本実施の形態の受信機１００は、本発明をＤＶＢ放送の受信装置に適用したものであるが、本発明は、ＤＶＢのみならず、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）、およびネットワークを介すＩＰＴＶ（Ｉｎｔｅｒｎｅｔ  Ｐｒｏｔｏｃｏｌ  Ｔｅｌｅｖｉｓｉｏｎ）、ＤＡＢ（Ｄｉｇｉｔａｌ  Ａｕｄｉｏ  Ｂｒｏａｄｃａｓｔｉｎｇ）など、オーディオストリームが含まれるパケットの伝送、受信システムにも適用することができる。
【００４４】
図８は、オーディオストリーム、ビデオストリームの関係性に着目したＤＶＢ受信機（以下単に受信機という）の構成を示す。この受信機２００は、音声信号と同時にビデオ信号も受信し復号処理をしている。音声信号に対して、受信機１００と同じように圧縮されたオーディオストリームをデコード時においてエラーチェックをし、エラーチェックの結果に基づいてオーディオデータの品質を判定する。そして、判定した品質に応じたノイズ軽減処理をオーディオデータに施すとともに、ビデオ信号との同期処理を制御する。ここで、アンテナや、チューナ、復調部、デマルチプレクサなどの構成を省略して説明する。
【００４５】
図８に示すように、受信機２００は、ビデオ信号を処理する構成としては、ビデオ信号処理部１５０、画像構成部１６０、ディスプレイ１７０を備え、オーディオ信号を処理する構成としては、オーディオ信号処理部１１０、ＤＡ変換器８０、アンプ８２、スピーカ８４を備える。ＤＡ変換器８０、アンプ８２、スピーカ８４は、受信機１００に備えられたものと同じであるので、ここで同じ符号を付与し、それらの説明を省略する。
【００４６】
復調されたビデオストリームは、ＭＰＥＧなどの画像圧縮方式で圧縮されたビデオデータであり、時間情報とともにビデオ信号処理部１５０に入力される。ビデオ信号処理部１５０は、ビデオストリームをデコードしてビデオデータを得て画像構成部１６０に出力する。画像構成部１６０は、ビデオ信号処理部１５０からのビデオデータをディスプレイ出力用の画像に構成してディスプレイ１７０に出力し、ディスプレイ１７０は、画像構成部１６０から出力されてきた画像を表示する。
【００４７】
一方、復調されたオーディオストリームは、時間情報とともにオーディオ信号処理部１１０に入力される。オーディオ信号処理部１１０は、オーディオストリームをデコードしてオーディオデータを得てＤＡ変換器８０に出力する。図９は、オーディオ信号処理部１１０の構成を示す。
【００４８】
図９に示すように、オーディオ信号処理部１１０は、デコード部３２、品質判定部１１２、制御部３８、ノイズ軽減処理部４０、同期処理部１１４、同期制御部１１６を備える。デコード部３２、制御部３８、ノイズ軽減処理部４０は、受信機１００に備えられたものと同じであるので、ここでそれらの説明を省略する。
【００４９】
同期処理部１１４は、ビデオ信号処理部１５０と通信し、オーディオ信号処理部１１０に入力された時間情報と、ビデオ信号処理部１５０に入力された時間情報とに基づいてビデオ信号とオーディオ信号の出力の同期処理を行う。
【００５０】
同期制御部１１６は、オーディオデータの品質が所定の程度以下であるときに同期処理を中止させるとともに、中止中において、オーディオストリームの品質が回復し、所定の回復条件を満たしたときに同期処理を再開させるように、同期処理部１１４を制御する。
【００５１】
品質判定部１１２は、受信機１００における品質判定部３６が行う判定処理以外に、同期制御部１１６が同期処理の制御を行うための判定処理も行う。ここで、図１０のフローチャートを参照して、同期処理の制御にあたり、品質判定部１１２と同期処理部１１４の処理を説明する。
【００５２】
図１０に示すフローチャートにおいて、ステップＳ４０２〜Ｓ４１６は、品質判定部１１２が同期処理の制御のために行う判定処理であり、ステップＳ４５０〜Ｓ５５４は、同期制御部１１６が行う制御処理である。品質判定部１１２は、注目フレームの直前の１０フレームから算出されたエラー検出率を確認し、エラー検出率が５０％より大きい場合には、オーディオデータの劣化がひどく、同期処理を中止すべきことを示す品質Ｖ１に判定し（Ｓ４０２：Ｙｅｓ、Ｓ４０４）、エラー検出率が５０％以下４５％以上である場合には、オーディオデータの劣化が同期処理に影響を与えるものの、品質Ｖ１ほどではないことを示す品質Ｖ２に判定する（Ｓ４０２：Ｎｏ、Ｓ４１２：Ｙｅｓ、Ｓ４１４）。また、エラー検出率が４５％より小さい場合には、ほぼ悪影響を与えることがないことを示す品質Ｖ３に判定する（Ｓ４０２：Ｎｏ、Ｓ４１２：Ｎｏ、Ｓ４１６）。
【００５３】
同期制御部１１６は、オーディオ信号処理部１１０の判定結果に応じて同期処理の制御を行う。同期処理中において、オーディオデータの品質が［Ｖ１］に判定された場合には、同期処理を中止する（Ｓ４５０：Ｙｅｓ、Ｓ４５２：Ｙｅｓ、Ｓ４５４）。一方、同期処理中止中において、オーディオデータの品質が「Ｖ３」に判定された場合には、同期処理を再開する（Ｓ４５０：Ｎｏ、Ｓ５５０：Ｙｅｓ）。また、他の品質の場合において、同期処理中であれば同期処理を続行し、同期処理中止中であれば、中止状態を維持する（Ｓ４５０：Ｙｅｓ、Ｓ４５２：Ｎｏ、Ｓ４５６、およびＳ４５０：Ｎｏ、Ｓ５５０：Ｎｏ、Ｓ５５４）。
【００５４】
ストリームデータの劣化は、そのストリームデータを利用される際に与える直接的な悪影響のみならず、本実施の形態のように、別々に処理される２つのストリームデータを出力する際に、同期を取ることが必要なシステムにおいて、片方のストリームデータの劣化は、同期処理に支障を来たし、両方のデータの出力を不安定にしてしまう可能性もある。このようなシステムにおいて、オーディオ信号処理部１１０のように、デコード時においてオーディオデータの品質を判定するようにすれば、正確に劣化が発生する部位を把握することができるので、同期処理の制御が可能となる。
【００５５】
また、注目フレームの直前の複数のフレームのエラー検出率を基に同期処理の制御を行っているので、予測性があり、システムが不安定になる前に同期処理を中止させることができ、オーディオストリームに劣化があっても、その悪影響を最小限に抑えることができる。
【００５６】
さらに、同期処理中においても品質を判定し続け、所定の条件を満たすまで回復したら、同期処理を再開することで、劣化時の影響を引きずることがない。
【００５７】
さらに、オーディオ信号処理部１１０単体でこのような制御ができ、他のモジュールの追加を必要としない。
【００５８】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【００５９】
たとえば、受信機１００において、オーディオ信号処理部５０は、品質を判定する際に、フェードイン・アウト処理部４４部、ＢＰＦ４６のために別々に品質を判定してより精細なノイズ軽減処理を図るようにしているが、異なる手法でノイズの軽減処理を行う装置がノイズ軽減処理部４０に複数含まれた場合において、同じ品質の判定を行うようにしてもよい。
【００６０】
また、ノイズ軽減処理部４０の構成も、受信機１００に例挙されたものに限らず、増減を加えてもよい。たとえば、フェードイン・アウト処理部４４のみ、ＢＰＦ４６のみであってもよいし、さらに、音量を調整する（ミュート処理を含む）モジュールまたは装置を設けてもよい。
【００６１】
また、エラー検出率を求める際に使用するフレームの枚数、各閾値などは、上述した実施の形態の説明に例として用いられた値に限らず、システムによって変更可能である。
【００６２】
また、受信機２００において、オーディオ信号処理部１１０は、オーディオデータの品質に応じて同期処理を制御しているが、同じ仕組みの品質判定処理をビデオ信号処理部１５０に行わせ、ビデオデータの品質、またはオーディデータとビデオデータの品質の組合せに応じて同期処理を制御するようにしてもよい。
【００６３】
もちろん、同期処理の制御は、ビデオ信号処理部１５０により行うようにしてもよい。
【００６４】
また、受信機１００と受信機２００において、品質判定部により品質を判定し、制御部は、その判定結果を受けて制御を行うようにしているが、品質判定部と制御部を一体化して、エラーチェック部のチェック結果に基づいて直接制御を行うようにしてもよい。この場合、品質の判定結果は、信号として出力されないが、たとえば「注目フレームにエラーが検出されていない、エラー検出率が５０％より大きい」のような組合せは、実質的に判定結果になる。
【００６５】
また、上述した実施の形態において、本発明をオーディオストリームに適用し、オーディオストリームのデコード時に行ったエラーチェックの結果を用いて、オーディオストリームデータの品質を判定しているが、本発明はオーディオストリームに限らず、ビデオストリームなど圧縮された態様で伝送される信号にも適用することができる。
【図面の簡単な説明】
【００６６】
【図１】第１の実施の形態にかかるＤＶＢ放送受信機の構成を示す図である。
【図２】図１に示すＤＶＢ放送受信機におけるオーディオ信号処理部の構成を示す図である。
【図３】図２に示すオーディオ信号処理部におけるノイズ軽減処理部の構成を示す図である。
【図４】図２に示すオーディオ信号処理部の処理の概要を示すフローチャートである。
【図５】図２に示すオーディオ信号処理部における品質判定部の処理を示すフローチャートである。
【図６】図２に示すオーディオ信号処理部における制御部の処理を示すフローチャートである。
【図７】図２にオーディオ信号処理部におけるノイズ軽減処理部の処理を示すフローチャートである。
【図８】第２の実施の形態にかかる受信機の構成を示す図である。
【図９】図８に示す受信機におけるオーディオ信号処理部の構成を示す図である。
【図１０】図９に示すオーディオ信号処理部による、同期処理の制御に関係する処理を示すフローチャートである。
【符号の説明】
【００６７】
２０  アンテナ    ２２  チューナ
２４  ＡＤ変換器  ２５  復調部
２６  デマルチプレクサ  ３２  デコード部
３４  エラーチェック部  ３６  品質判定部
３８  制御部  ４０  ノイズ軽減処理部
４４  フェードイン・アウト処理部  ４６  ＢＰＦ
５０  オーディオ信号処理部  ８０  ＤＡ変換器
８２  アンプ  ８４  スピーカ
１００  受信機  １１０  オーディオ信号処理部
１１２  品質判定部  １１４  同期処理部
１１６  同期制御部  １５０  ビデオ信号処理部
１６０  画像構成部  １７０  ディスプレイ
２００  受信機
【図１】
2008035118.tif 000003
【図２】
2008035118.tif 000004
【図３】
2008035118.tif 000005
【図４】
2008035118.tif 000006
【図５】
2008035118.tif 000007
【図６】
2008035118.tif 000008
【図７】
2008035118.tif 000009
【図８】
2008035118.tif 000010
【図９】
2008035118.tif 000011
【図１０】
2008035118.tif 000012